(57)【要約】【課題】パネルシャーシが低温環境下で収縮したり、振動したりしたときに、表示パネルにかかる応力が低減されるとともに、表示パネルの長手方向の動きが抑制され、外観品位が良好である表示装置、及び該表示装置を備えるテレビジョン受信機を提供する。【解決手段】表示装置の表示モジュール１１は、表示パネル２と、表示パネル２の側面を覆う被覆部５１、表示パネル２の背面の周縁部を支持する支持部、及び弾性を有し、被覆部５１の側面から表示パネル２の側面に向けて突設されており、突設方向の端部に、Ｒ状の突起部５４を有する弾性部５２を有する。【選択図】図４
2019144353.tif 000002
【特許請求の範囲】
【請求項１】
表示パネルと、
該表示パネルの側面を覆う被覆部、
前記表示パネルの背面の周縁部を支持する支持部、及び
弾性を有し、前記被覆部に、前記表示パネルの前記側面に向かうように突設されており、突設方向の端部に、Ｒ状の突起部を有する弾性部
を有するパネルシャーシと
を備えることを特徴とする表示装置。
【請求項２】
前記弾性部は矩形状の本体を有し、
該本体は、前記端部側に、前記突設方向に交叉する方向に延びる孔を有することを特徴とする請求項１に記載の表示装置。
【請求項３】
前記孔の外縁部の一部は、他部より厚みが薄いことを特徴とする請求項２に記載の表示装置。
【請求項４】
前記孔は、台形の底辺の両端部に円が連設された形状をなすことを特徴とする請求項３に記載の表示装置。
【請求項５】
前記突起部と、前記表示パネルの側面との隙間は、０．５ｍｍ以下であることを特徴とする請求項１から４までのいずれか１項に記載の表示装置。
【請求項６】
前記弾性部は、前記表示パネルの背面側に突出したＵ字状をなす緩衝部を有することを特徴とする請求項１に記載の表示装置。
【請求項７】
前記緩衝部は、湾曲部の厚みが他部より薄いことを特徴とする請求項６に記載の表示装置。
【請求項８】
請求項１から７までのいずれか１項に記載の表示装置と、
テレビジョン放送を受信する受信部と
を備え、
前記受信部にて受信したテレビジョン放送に基づいて、前記表示装置に映像を表示することを特徴とするテレビジョン受信機。
【発明の詳細な説明】
【技術分野】
【０００１】
本発明は、表示パネルと、表示パネルの側面を覆って支持するパネルシャーシとを備える表示装置、及び該表示装置を備えるテレビジョン受信機に関する。
【背景技術】
【０００２】
例えば液晶テレビジョン受信機等のテレビジョン受信機（以下、ＴＶ受信機という）は、正面側で映像を表示する横長の表示パネルを有する表示モジュールと、表示モジュールの正面及び背面を挟むようにして収容するフロントキャビネット及びリアキャビネット（筐体）と、スタンドとを備える。
【０００３】
エッジライト型である場合、表示モジュールは、例えば表示パネルと、拡散シート，レンズシート，ＤＢＥＦシート（反射型偏光シート）等からなる光学シート群と、パネルシャーシと、導光板と、反射シートと、ＬＥＤ基板と、ＢＬ（バックライト）シャーシとを備える。
直下型である場合、表示モジュールは、導光板の代わりに拡散板を有する。
【０００４】
パネルシャーシは額縁状をなす。パネルシャーシの、表示モジュールの背面側部分には光学シート等の周縁部が当接され、正面側部分には表示パネルの周縁部が当接されるように構成されている。
【０００５】
パネルシャーシは合成樹脂製であり、環境温度によって膨張収縮し、表示パネルの側面とパネルシャーシの側面との間隔が変化する。従って、表示パネルの両短辺の上端部側及び下端部側において、表示パネルとパネルシャーシとの間に緩衝材（ポロン）を介在させ、表示パネルに応力がかかることを防止している。
【０００６】
緩衝材を介在させた場合においても、ある程度の応力が表示パネルにかかると、応力がかかった部分の液晶の輝度が歪みで変化し、外観品位が低下する。
【０００７】
特許文献１には、表示パネルを位置決めするパネルシャーシ側の位置決め部の形状を楔状（半円弧状又は半楕円状）にすることで、表示パネルの外周に形成されるバリと位置決め部との接触部分を点接触とし、バリが位置決め部を削ることで生じる削れカスの発生量を軽減し、削れカス自体の大きさも小さくすることが開示されている。
【先行技術文献】
【特許文献】
【０００８】
【特許文献１】特開２００９−２０４１０号公報
【発明の概要】
【発明が解決しようとする課題】
【０００９】
特許文献１の表示装置においては、表示パネルのバリと位置決め部とが点接触することにより、削れカスの発生量が減じるが、パネルシャーシが収縮したときに、位置決め部を含むパネルシャーシの部分が表示パネルを押圧し、液晶の輝度等の品質が変化する虞がある。
【００１０】
本発明は斯かる事情に鑑みてなされたものであり、パネルシャーシが低温環境下で収縮したり、振動したりしたときに、表示パネルにかかる応力が低減されるとともに、表示パネルの動きが抑制され、外観品位が良好である表示装置、及び該表示装置を備えるテレビジョン受信機を提供することを目的とする。
【課題を解決するための手段】
【００１１】
本発明に係る表示装置は、表示パネルと、該表示パネルの側面を覆う被覆部、前記表示パネルの背面の周縁部を支持する支持部、及び弾性を有し、前記被覆部に、前記表示パネルの前記側面に向かうように突設されており、突設方向の端部に、Ｒ状の突起部を有する弾性部を有するパネルシャーシとを備えることを特徴とする。
【００１２】
本発明に係るテレビジョン受信機は、上述の表示装置と、テレビジョン放送を受信する受信部とを備え、前記受信部にて受信したテレビジョン放送に基づいて、前記表示装置に映像を表示することを特徴とする。
【発明の効果】
【００１３】
本発明によれば、パネルシャーシが低温環境下で収縮したり、振動したりしたときに、Ｒ状の突起部が表示パネルの側面に点接触するので、表示パネルにかかる応力が低減される。突起部が表示パネルの側面に接触したときに、弾性部の弾性力により、突設方向と反対の方向に反力が生じ、突起部が前記側面を押す力がさらに弱まる。
従って、歪みにより液晶の輝度が変化し、外観品位が低下することが抑制される。
突起部は表示パネルの側面に点接触するので、表示パネルは振動時に動きが抑制され、良好に支持される。
そして、パネルシャーシの内面と表示パネルの側面との間に、ポロンを介在させていた従来の表示パネルと異なり、弾性部はパネルシャーシと一体に形成されているので、ポロンのような弾性部材をパネルシャーシに貼り付ける必要がなく、弾性部材がパネルシャーシから脱落することがなく、部品点数及び工程数を減じることができる。
【図面の簡単な説明】
【００１４】
【図１】実施の形態１に係る表示装置を備えるＴＶ受信機の斜視図である。
【図２】ＴＶ受信機の分解斜視図である。
【図３】表示モジュールの正面図である。
【図４】表示モジュールの一部正面図である。
【図５】表示モジュールの一部破断斜視図である。
【図６】表示モジュールの一部斜視図である。
【図７】パネルシャーシの正面図である。
【図８】図７のVIII−VIII線破断斜視図である。
【図９】弾性部が表示パネルの側面に当接した状態を示す一部斜視図である。
【図１０】薄肉部に応力が生じ、弾性部の端部が変形した状態を示す一部斜視図である。
【図１１】従来の表示モジュールの一部破断斜視図である。
【図１２】表示モジュールの一部破断斜視図である。
【図１３】薄肉部に応力が生じ、緩衝部が変形した状態を示す斜視図である。
【発明を実施するための形態】
【００１５】
以下、本発明をその実施の形態を示す図面に基づいて具体的に説明する。
実施の形態１．
図１は実施の形態１に係る表示装置を備えるＴＶ受信機１の斜視図、図２はＴＶ受信機１の分解斜視図である。
【００１６】
ＴＶ受信機１は、表示パネル２を有する表示モジュール１１と、表示モジュール１１を挟むようにして収容するフロントキャビネット３及びリアキャビネット４と、アンテナ（不図示）から放送波を受信するチューナ７と、符号化された放送波を復号するデコーダ８と、スタンド９とを備える。表示モジュール１１は、全体として横長の略直方体状をなし、縦姿勢でフロントキャビネット３及びリアキャビネット４内に収容されている。
フロントキャビネット３は矩形枠状をなす。リアキャビネット４は、表示モジュール１１の側面及び背面を覆うように箱状をなしている。
以下、表示モジュール１１がエッジ型である場合につき説明するが、表示モジュール１１は直下型であってもよい。
【００１７】
表示モジュール１１は、表示パネル２と、光学シート群１０（図５参照）と、パネルシャーシ５と、導光板（不図示）と、反射シート（不図示）と、ＬＥＤ基板（不図示）と、ＢＬシャーシ６とを備える。
表示動作の際には、導光板から面状の光が出射され、その光によって表示パネル２の背面が照明される。
【００１８】
ＢＬシャーシ６は、表示パネル２側が開口された略箱状をなす。そして、ＢＬシャーシ６に、導光板、反射シート、及びＬＥＤ基板が収納されている。
ＢＬシャーシ６の裏面には、前記チューナ７、及びデコーダ８、及びＣＰＵ等を備えるメイン基板（不図示）が設けられている。
【００１９】
表示パネル２は、カラーフィルタ基板と、液晶層と、ＴＦＴ基板と、２枚の偏光板とを有する。カラーフィルタ基板とＴＦＴ基板とはシール材を挟んで互いに貼り合わされており、その間に液晶層が介在する。そして、２枚の偏光板は、カラーフィルタ基板及びＴＦＴ基板夫々の、液晶層側とは反対側の面上に配されている。
【００２０】
図３は表示モジュール１１の正面図、図４は表示モジュール１１の一部正面図、図５は表示モジュール１１の一部破断斜視図、図６は表示モジュール１１の一部斜視図、図７はパネルシャーシ５の正面図、図８は図７のVIII−VIII線破断斜視図である。
パネルシャーシ５は横長の矩形枠状をなし、弾性を有する、例えばＰＣ（ポリカーボネート）、ＡＢＳ樹脂（アクリロニトリル・ブタジエン・スチレン共重合樹脂）等の合成樹脂からなる。パネルシャーシ５は、本体５０と、被覆部５１と、弾性部５２と、支持部５７とを備える。本体５０は額縁状をなす。被覆部５１は横長の枠状をなし、本体５０の外周縁部に、表示パネル２の正面側及び背面側に突出するように設けられている。支持部５７は本体５０の内周縁部に、正面側に突出するように設けられている。被覆部５１の正面側の突出長は支持部５７の突出長より長い。被覆部５１は表示パネル２の側面を覆い、支持部５７により表示パネル２の背面の周縁部が支持される。
【００２１】
弾性部５２は、被覆部５１の２つの短辺部分の上下に夫々、表示パネル２の側面に向かうように突設されている。
弾性部５２は、矩形状をなす本体５３を有する。本体５３の突設方向の端部の中央部には、三角形状をなす突起部５４が設けられている。三角形状をなすので、突起部５４は正面視の幅が漸次的に狭くなる。
本体５３は、突起部５４側に、突設方向に交叉する方向に延びる孔５５を有する。孔５５は、底辺を本体５３の突設方向の端部側に、天辺を本体５３の基部側に夫々向け、底辺の両端部に円が連設された台形状の孔である。本体５３の突設方向の端部において、円が設けられている孔５５の外縁部分は他の部分より厚み（表示モジュール１１の長手方向の幅）が薄く、薄肉部５６，５６となっている。
本体５０の、孔５５と対向する部分は切り欠かれている。
【００２２】
弾性部５２は、前記支持部５７より正面側に配置されており、突起部５４が、支持部５７に支持された表示パネル２の側面に対向する。
突起部５４と、表示パネル２の側面との間隔は、０．５ｍｍ以下であるのが好ましい。この場合、表示パネル２が振動により動いたときに、支持することができる。そして、間隔がパネルシャーシ５の低温時の収縮量以下であるので、パネルシャーシ５が収縮したときに、表示パネル２を支持することができる。
【００２３】
なお、突起部５４の形状は三角形状に限定されない。突起部５４の先端部は、幅が漸次的に狭くなるＲ状をなし、低温環境下で、パネルシャーシ５が収縮したときに表示パネル２の側面に点接触できればよく、半円状、台形等の多角形状でもよい。
また、突起部５４の先端部は、本体５３の突設方向の端部の中央部に設けられる場合に限定されない。本体５３の端部側の、突設方向に交叉する方向の全体に亘って突起部５４が設けられており、側面視の幅が漸次的に狭くなるものでもよい。
【００２４】
以下、低温環境下において、弾性部５２が動き、突起部５４が表示パネル２の側面に当接したときの作用について説明する。
合成樹脂製のパネルシャーシ５は、基板がガラス製である表示パネル２よりも低温時の収縮量が大きいので、例えば輸送中、倉庫保管中等に冷えた場合、パネルシャーシ５の内面と表示パネル２の側面との間の間隔が狭くなる。
図９は弾性部５２が表示パネル２の側面に当接した状態を示す一部斜視図、図１０は薄肉部５６に応力が生じ、弾性部５２の端部が変形した状態を示す一部斜視図である。
低温環境下で、パネルシャーシ５は、図９の→の方向（突設方向）に、即ち内側に縮み、突起部５４の先端部が表示パネル２の側面に当接する。
このとき、図１０に示すように、薄肉部５６に、←の方向（突設方向と反対の方向）に応力が生じ、本体５３の孔５５の内側の長手方向の外縁部が外側に突出するように変形する。
【００２５】
表示モジュール１１が振動し、突起部５４が表示パネル２の側面に当接した場合においても、同様に←の方向に応力が薄肉部５６に生じ、孔５５の長手方向の外縁部が変形する。
【００２６】
図１１は、従来の表示モジュールの一部破断斜視図である。図中、図５と同一部分は同一符号を付して詳細は説明を省略する。
表示モジュールのパネルシャーシ１５は、表示パネル２の側面を覆う被覆部１５ａと、外側が内側より厚みが厚い段状をなし、端部において表示パネル２の背面の周縁部を支持する支持部１５ｂとを備える。
被覆部１５ａの２つの短辺部分の上下には、支持部１５ｂの、表示パネル２との隙間に緩衝材としてのポロン１６が配置されている。
【００２７】
図１１に示すように、ポロン１６と表示パネル２の側面とは面接触しており、また、応力を逃す構造もないため、ある程度の応力が表示パネル２にかかり、応力がかかった部分の液晶の輝度が歪みで変化し、外観品位が低下するという問題があった。
【００２８】
本実施形態の表示モジュール１１においては、上述したように、突起部５４と表示パネル２の側面とは点接触しており、弾性部５２は弾性を有し、薄肉部５６に弾性部５２の突設方向と反対の方向に反力が生じ、応力を逃すことができ、突起部５４が前記側面を押圧する力が低減する。
従って、歪みにより液晶の輝度が変化し、ＴＶ受像機１の外観品位が低下することが抑制される。
突起部５４は表示パネル２の側面に点接触するので、表示パネル２は振動時に長手方向の動きが抑制され、良好にパネルシャーシ５に支持される。
パネルシャーシの内面と表示パネル２の側面との間に、ポロンを介在させていた従来の表示パネルと異なり、本実施形態においては、弾性部５２がパネルシャーシ５と一体に形成されているので、ポロンのような弾性部材をパネルシャーシ５に貼り付ける必要がなく、弾性部材がパネルシャーシ５から脱落することがなく、部品点数及び工程数を減じることができる。
【００２９】
実施の形態２．
図１２は表示モジュール１１の一部破断斜視図である。図中、図９と同一部分は同一符号を付して詳細は説明を省略する。
実施の形態２のパネルシャーシ５の弾性部５８は、被覆部５１の２つの短辺に対応する部分の上下に夫々、表示パネル２の側面に向かうように突設されている。弾性部５８は、突設方向の端部に、突起部５４を有する。
弾性部５８は、基部と突起部５４とを橋絡するように、本体５０の切欠き５０ａを抜けてＢＬシャーシ６側に突出するＵ字状の緩衝部５９を有する。
緩衝部５９の湾曲部は他部より肉厚が薄い薄肉部６０となっている。
【００３０】
図１３は薄肉部６０に応力が生じ、緩衝部５９の端部が変形した状態を示す斜視図である。
低温環境下で、パネルシャーシ５は、図１３の→の方向に、即ち内側に縮み、突起部５４の先端部が表示パネル２の側面に当接する。
このとき、薄肉部６０において、←の方向（突設方向と反対の方向）に応力が生じ、該方向に撓むように潰れ、突起部５４が前記側面を押圧する力が弱まる。
【００３１】
表示モジュール１１が振動し、突起部５４が表示パネル２の側面に当接した場合においても、同様に←の方向に応力が薄肉部６０に生じ、緩衝部５９が変形して、突起部５４が前記側面を押圧する力が弱まる。
【００３２】
従って、歪みにより液晶の輝度が変化し、ＴＶ受像機の外観品位が低下することが抑制される。
突起部５４は表示パネル２の側面に点接触するので、表示パネル２は振動時に長手方向の動きが抑制され、パネルシャーシ５に良好に支持される。
【００３３】
以上のように、本発明の一態様に係る表示装置１は、表示パネル２と、該表示パネル２の側面を覆う被覆部５１、前記表示パネル２の背面の周縁部を支持する支持部５７、及び弾性を有し、前記被覆部５１に、前記表示パネル２の前記側面に向かうように突設されており、突設方向の端部に、Ｒ状の突起部５４を有する弾性部５２を有するパネルシャーシ５とを備えることを特徴とする。
【００３４】
上記構成によれば、パネルシャーシ５が低温環境下で収縮したり、振動したりしたときに、Ｒ状の突起部５４が表示パネル２の側面に点接触するので、表示パネル２にかかる応力が低減される。突起部５４が表示パネル２の側面に接触したときに、弾性部５２の弾性力により、突設方向と反対の方向に反力が生じ、突起部５４が前記側面を押す力がさらに弱まる。
従って、歪みにより液晶の輝度が変化し、外観品位が低下することが抑制される。
突起部５４は表示パネル２の側面に点接触するので、表示パネル２は振動時に動きが抑制され、良好にパネルシャーシ５に支持される。
そして、パネルシャーシの内面と表示パネルの側面との間に、ポロンを介在させていた従来の表示パネルと異なり、弾性部５２はパネルシャーシ５と一体に形成されているので、ポロンのような弾性部材をパネルシャーシに貼り付ける必要がなく、弾性部材がパネルシャーシから脱落することがなく、部品点数及び工程数を減じることができる。
【００３５】
本発明の一態様に係る表示装置１は、前記弾性部５２は矩形状の本体を有し、該本体は、前記端部側に、前記突設方向に交叉する方向に延びる孔５５を有することを特徴とする。
【００３６】
上記構成によれば、突起部５４が表示パネ２ルの側面に接触したときに、孔５５の外縁部が突設方向と反対の方向に撓み、突起部５４が前記側面を押圧する力がさらに弱まる。
【００３７】
本発明の一態様に係る表示装置１は、前記孔５５の外縁部の一部は、他部より厚みが薄いことを特徴とする。
【００３８】
上記構成によれば、応力が厚みが薄い部分に生じ、突起部５４が表示パネル２の側面を押圧する力が弱まる。
【００３９】
本発明の一態様に係る表示装置１は、前記孔５５は、台形の底辺の両端部に円が連設された形状をなすことを特徴とする。
【００４０】
上記構成によれば、円の外縁部が他部より厚みが薄い部分となり、突起部５４が表示パネル２の側面に当接するときに、前記部分に応力が生じ、突起部５４が設けられている孔５５の外縁部が突設方向と反対の方向に容易に撓み、突起部５４が前記側面を押圧する力が弱まる。
【００４１】
本発明の一態様に係る表示装置１は、前記突起部５４と、前記表示パネル２の側面との間隔は、０．５ｍｍ以下であることを特徴とする。
【００４２】
上記構成によれば、表示パネル２が振動により動いたときに、支持することができる。
間隔がパネルシャーシ５の収縮量以下であるので、パネルシャーシ５が収縮したときに、表示パネル２を支持することができる。
【００４３】
本発明の一態様に係る表示装置１は、前記弾性部５８は、前記表示パネル２の背面側に突出したＵ字状をなす緩衝部５９を有することを特徴とする。
【００４４】
上記構成によれば、突起部が表示パネル２の側面に接触したときに、緩衝部５９のＵ字の湾曲部が突設方向と反対の方向に撓むように潰れ、突起部５４が前記側面を押圧する力が弱まる。
【００４５】
本発明の一態様に係る表示装置１は、前記緩衝部５９は、湾曲部の厚みが他部より薄いことを特徴とする。
【００４６】
上記構成によれば、湾曲部に応力が生じて、前記方向に撓みやすくなる。
【００４７】
本発明の一態様に係るテレビジョン受信機１は、上述のいずれかの表示装置１と、テレビジョン放送を受信する受信部７とを備え、前記受信部７にて受信したテレビジョン放送に基づいて、前記表示装置１に映像を表示することを特徴とする。
【００４８】
上記構成によれば、低温環境下又は振動時に、表示パネルに応力がかかることが抑制され、表示パネルが歪んで液晶の輝度が変化することが抑制され、かつ、表示パネルがパネルシャーシにより良好に支持される。
【００４９】
本発明は上述した実施の形態の内容に限定されるものではなく、請求項に示した範囲で種々の変更が可能である。即ち、請求項に示した範囲で適宜変更した技術的手段を組み合わせて得られる実施形態も本発明の技術的範囲に含まれる。
例えば、本発明の表示装置はＴＶ受信機に適用する場合には限定されない。パーソナルコンピュータ等の表示装置にも適用することができる。
【符号の説明】
【００５０】
１  ＴＶ受像機
１１  表示モジュール
３  フロントキャビネット
４  リアキャビネット
５  パネルシャーシ
５０  本体
５１  被覆部
５２、５８  弾性部
５３  本体
５４  突起部
５５  孔
５６、６０  薄肉部
５７  支持部
５９  緩衝部
６  ＢＬシャーシ
【図１】
2019144353.tif 000003
【図２】
2019144353.tif 000004
【図３】
2019144353.tif 000005
【図４】
2019144353.tif 000006
【図５】
2019144353.tif 000007
【図６】
2019144353.tif 000008
【図７】
2019144353.tif 000009
【図８】
2019144353.tif 000010
【図９】
2019144353.tif 000011
【図１０】
2019144353.tif 000012
【図１１】
2019144353.tif 000013
【図１２】
2019144353.tif 000014
【図１３】
2019144353.tif 000015